(57)【要約】【課題】コメから測定される酸素、炭素、水素などの安定同位体比のばらつきを抑制でき、より高い精度でコメ産地を推定する。【解決手段】分析対象となるコメから選択した３つ以上のコメ粒を粉末器１０で粉末化して均一に混合することにより粉サンプルＳを作製し、得られた粉サンプルＳを安定同位体比分析装置２０により燃焼させて得られたガスに基づいて、水素、炭素、酸素の少なくともいずれか１つに関する安定同位体比を測定し、得られた測定結果に基づいてコメの産地を推定する。【選択図】  図１
2018100834.tif 000002
【特許請求の範囲】
【請求項１】
分析対象となるコメに含まれる、水素、炭素、酸素の少なくともいずれか１つに関する安定同位体比を測定し、得られた測定結果に基づいて前記コメの産地を推定するコメ産地推定方法であって、
前記コメから選択した３つ以上のコメ粒を粉末化して均一に混合した粉サンプルを生成する粉末化ステップと、
前記粉サンプルを燃焼させて得られたガスに基づいて前記コメの安定同位体比を測定する安定同位体比測定ステップと、
前記安定同位体比測定ステップで得られた安定同位体比測定結果に基づいて、前記コメの産地を推定するコメ産地推定処理ステップと
を備えることを特徴とするコメ産地推定方法。
【請求項２】
請求項１に記載のコメ産地推定方法において、
前記安定同位体比測定ステップは、
前記粉サンプルを燃焼させることにより前記ガスとして二酸化炭素および水蒸気を発生させる燃焼ステップと、
前記燃焼ステップで発生させた二酸化炭素および水蒸気に対してレーザ光を照射してレーザ分光することにより、前記サンプルに含まれる水素の安定同位体比を測定するレーザ分光式安定同位体比測定ステップと
を含むことを特徴とするコメ産地推定方法。
【請求項３】
請求項１または請求項２に記載のコメ産地推定方法において、
前記コメに含まれるケイ素、カルシウム、亜鉛、モリブデン、およびバリウムからなる微量元素の元素量を定量分析する微量元素分析ステップをさらに備え、
前記コメ産地推定処理ステップは、前記レーザ分光式安定同位体比測定ステップで得られた前記安定同位体比測定結果と、前記微量元素分析ステップで得られた微量元素分析結果との組み合わせに基づいて、前記コメの産地を推定するステップからなる
ことを特徴とするコメ産地推定方法。
【請求項４】
請求項３に記載のコメ産地推定方法において、
前記微量元素分析ステップは、誘導結合プラズマ質量分析計により前記コメに含まれる前記微量元素の元素量を定量分析するステップからなることを特徴とするコメ産地推定方法。
【請求項５】
請求項１〜請求項４のいずれかに記載のコメ産地推定方法において、
前記コメ産地推定処理ステップは、階層的クラスタリング処理により得られたクラスタ分析結果に基づいて、前記コメの産地を推定するステップからなることを特徴とするコメ産地推定方法。
【請求項６】
分析対象となるコメに含まれる、水素、炭素、酸素の少なくともいずれか１つに関する安定同位体比を測定し、得られた測定結果に基づいて前記コメの産地を推定するコメ産地推定システムであって、
前記コメから選択した３つ以上のコメ粒を粉末化して均一に混合した粉サンプルを生成する粉末器と、
前記粉サンプルを燃焼させて得られたガスに基づいて前記コメの安定同位体比を測定する安定同位体比分析装置と、
前記安定同位体比分析装置で得られた安定同位体比測定結果に基づいて、前記コメの産地を推定するコメ産地推定処理装置と
を備えることを特徴とするコメ産地推定システム。
【発明の詳細な説明】
【技術分野】
【０００１】
本発明は、同位体比分析に基づいてコメの産地を推定するためのコメ産地推定技術に関する。
【背景技術】
【０００２】
近年、市販されているコメのうち、品種、さらには産地や産年が同一である単一銘柄米は、「ブランド米」と呼ばれ、味や食感が良いコメは高い人気がある。特に有名なブランド米として「魚沼産のコシヒカリ」などが挙げられる。
このようなブランド米は高価で取引されるため、ブランド米ではない商品を、産地を偽装して、ブランド米として高額で販売する産地偽装問題が表面化している。
【０００３】
一般に、食品の産地は、流通過程において文書等による非科学的手法による管理が主であり、コメも同様である。このため、商品のすり替えが流通の途中で生じた際に、文書等にすり替えた事実が記載されていない限り、産地の偽装が行われたことを把握することができない。このため、流通過程の中で、簡単に商品の産地を科学的に判定できる手法が望まれている。
【０００４】
従来より、コメなどの食品に含まれる酸素や水素の安定同位体比は、産地推定の手がかりになることが報告されている（非特許文献1）。このような水素安定同位体比分析を行う場合、安定同位体比質量分析法（ＩＲＭＳ：Isotope Ratio Mass Spectrometry）や核磁気共鳴分光法（ＮＭＲ：Nuclear Magnetic Resonance Spectroscopy）を用いた、操作が複雑となる高価で大型の分析装置が必要となる。このため、分析に時間とコストがかかるという問題があり、これが普及を妨げる一つの要因となっていた。また、植物に含まれる炭素の同位体比は、植物の生育した日照環境の影響を受けるため、産地推定の手がかりになることが報告されている。
【０００５】
近年、レーザ分光法における高感度化技術の進歩により、安定同位体比分析に利用できる高感度なレーザ分光装置が開発され注目されている。これを利用すると、安定同位体比分析を簡単に行うことができ、コメの産地判別への応用も期待される（非特許文献２）。
【先行技術文献】
【非特許文献】
【０００６】
【非特許文献１】鈴木・中下・伊永，"安定同位体比分析による国内産米の産地及び有機栽培判別の可能性"，分析化学，Vol.58，No.12，pp.1053-1058，2009
【非特許文献２】吉村・神徳・藤井・阪本・界，"高感度レーザガスセンシング技術と安定同位体比分析応用"，NTT技術ジャーナル，Vol.26，No.2，pp.27-30，2014
【発明の概要】
【発明が解決しようとする課題】
【０００７】
しかしながら、このような従来のレーザ分光装置では、単にコメ粒をそのまま燃焼させて発生させたガスから安定同位体比を測定しているため、同一産地のコメであっても測定により得られた安定同位体比にばらつきが生じるという問題点があった。このため、同一測定結果と対応する分布領域が広くなって、産地が地理的に近い地域間で分布が重なってしまうため、結果として、判別精度が低下するという問題があった。
【０００８】
本発明はこのような課題を解決するためのものであり、コメから測定される酸素、炭素、水素などの安定同位体比のばらつきを抑制でき、より高い精度でコメ産地を推定できるコメ産地推定技術を提供することを目的としている。
【課題を解決するための手段】
【０００９】
このような目的を達成するために、本発明にかかるコメ産地推定方法は、分析対象となるコメに含まれる、水素、炭素、酸素の少なくともいずれか１つに関する安定同位体比を測定し、得られた測定結果に基づいて前記コメの産地を推定するコメ産地推定方法であって、前記コメから選択した３つ以上のコメ粒を粉末化して均一に混合した粉サンプルを生成する粉末化ステップと、前記粉サンプルを燃焼させて得られたガスに基づいて前記コメの安定同位体比を測定する安定同位体比測定ステップと、前記安定同位体比測定ステップで得られた安定同位体比測定結果に基づいて、前記コメの産地を推定するコメ産地推定処理ステップとを備えている。
【００１０】
また、本発明にかかる上記コメ産地推定方法の一構成例は、前記安定同位体比測定ステップが、前記粉サンプルを燃焼させることにより前記ガスとして二酸化炭素および水蒸気を発生させる燃焼ステップと、前記燃焼ステップで発生させた二酸化炭素および水蒸気に対してレーザ光を照射してレーザ分光することにより、前記サンプルに含まれる水素の安定同位体比を測定するレーザ分光式安定同位体比測定ステップとを含むものである。
【００１１】
また、本発明にかかる上記コメ産地推定方法の一構成例は、前記コメに含まれるケイ素、カルシウム、亜鉛、モリブデン、およびバリウムからなる微量元素の元素量を定量分析する微量元素分析ステップをさらに備え、前記コメ産地推定処理ステップは、前記レーザ分光式安定同位体比測定ステップで得られた前記安定同位体比測定結果と、前記微量元素分析ステップで得られた微量元素分析結果との組み合わせに基づいて、前記コメの産地を推定するステップからなるものである。
【００１２】
また、本発明にかかる上記コメ産地推定方法の一構成例は、前記微量元素分析ステップが、誘導結合プラズマ質量分析計により前記コメに含まれる前記微量元素の元素量を定量分析するステップからなるものである。
【００１３】
また、本発明にかかる上記コメ産地推定方法の一構成例は、前記コメ産地推定処理ステップが、階層的クラスタリング処理により得られたクラスタ分析結果に基づいて、前記コメの産地を推定するステップからなるものである。
【００１４】
また、本発明にかかるコメ産地推定システムは、分析対象となるコメに含まれる、水素、炭素、酸素の少なくともいずれか１つに関する安定同位体比を測定し、得られた測定結果に基づいて前記コメの産地を推定するコメ産地推定システムであって、前記コメから選択した３つ以上のコメ粒を粉末化して均一に混合した粉サンプルを生成する粉末器と、前記粉サンプルを燃焼させて得られたガスに基づいて前記コメの安定同位体比を測定する安定同位体比分析装置と、前記安定同位体比分析装置で得られた安定同位体比測定結果に基づいて、前記コメの産地を推定するコメ産地推定処理装置とを備えている。
【発明の効果】
【００１５】
本発明によれば、コメ粒自体を起源とする安定同位体比のばらつきが抑制されることになる。したがって、より高い精度でコメ産地を推定することができ、ブランド米に関する産地偽装を、科学的に容易かつ高い精度で判定することが可能となる。
【図面の簡単な説明】
【００１６】
【図１】コメ産地推定システムを示す説明図である。
【図２】コメ粒数による安定同位体比のばらつきの影響を示すグラフである。
【図３】産地ごとに測定したコメの水素と炭素の安定同位体比の測定結果を示すグラフである。
【図４】図３の測定結果に対するクラスタ解析結果を示すデンドログラムである。
【図５】図３の測定結果と微量元素分析結果との組み合わせに対するクラスタ解析結果を示すデンドログラムである。
【発明を実施するための形態】
【００１７】
次に、本発明の実施の形態について図面を参照して説明する。
［コメ産地推定システム］
まず、図１を参照して、本発明の一実施の形態にかかるコメ産地推定システム１について説明する。図１は、コメ産地推定システムを示す説明図である。
【００１８】
このコメ産地推定システム１は、コメの産地を推定する際に用いられて、サンプルに含まれる水素および炭素の安定同位体の比率を測定して推定するシステムである。
図１に示すように、コメ産地推定システム１は、主な構成として、粉末器１０、安定同位体比分析装置２０、誘導結合プラズマ質量分析計３０、およびコメ産地推定処理装置４０とを備えている。
【００１９】
粉末器１０は、全体として、コメ、ムギ、マメなどの穀物を粉末化する、フードミル、製粉機、粉砕機などの一般的な粉末化装置からなり、分析対象となる数個のコメ粒を粉末化してコメ粉末からなる粉サンプルＳを生成する。
【００２０】
安定同位体比分析装置２０は、例えばＰｉｃａｒｒｏ社のＢ２２２１−ｉなど、一般的なレーザ分光式安定同位体比分析装置からなり、燃焼部２１、レーザ光源２２、ガスセル２３、光検出器２４、および安定同位体比測定部２５が設けられている。
【００２１】
燃焼部２１は、水素置換容器１０で水素置換されたサンプルＳを粉末化したものを燃焼し、発生した水蒸気さらには二酸化炭素をガスセル２３へ供給する機能を有している。
レーザ光源２２は、可変波長のレーザ光Ｌをパルス状に出射する機能を有している。
【００２２】
ガスセル２３は、内部に複数のミラーが設けられており、レーザ光源２２からのレーザ光Ｌをこれらミラーで繰り返し反射させて燃焼部２１から供給された水蒸気さらには二酸化炭素に照射することにより、光学キャビティを形成する機能と、水蒸気さらには二酸化炭素を通過したレーザ光Ｌ’を外部に出力する機能とを有している。
【００２３】
光検出器２４は、フォトダイオードからなり、ガスセル２３から出力されたレーザ光Ｌ’の光強度を検出する機能を有している。
安定同位体比測定部２５は、光検出器２４で検出された光強度に基づいて、レーザ光Ｌのパルス終端時に測定した減衰時間から吸収率を計算する機能と、得られた吸収率がピークとなる光吸収スペクトルに応じて、水蒸気さらには二酸化炭素に含まれる、水素、炭素、酸素の少なくともいずれか１つの安定同位体の種別と濃度を検出する機能と、これら検出結果から安定同位体比を測定する機能とを有している。
なお、具体的な安定同位体比計測方法については、前述したキャビティリングダウン分光法（ＣＲＤＳ：Cavity Ring-Down Spectroscopy）以外の公知の手法を用いてもよい。
【００２４】
誘導結合プラズマ質量分析計３０は、例えばＡｇｉｌｅｎｔ社の７７００ｅなど、一般的な誘導結合プラズマ質量分析計からなり、分析対象となるコメ粒から整調して得られた試薬溶液に含まれるケイ素Ｓｉ、カルシウムＣａ、亜鉛Ｚｎ、モリブデンＭｏ、およびバリウムＢａからなる微量元素を、アルゴンガスのプラズマでイオン化し、これらイオンを質量分析することにより、これら微量元素の元素量を測定する機能を有している。
【００２５】
コメ産地推定処理装置４０は、全体としてサーバ装置やＰＣなどの情報処理装置からなり、安定同位体比分析装置２０で得られた水素、炭素、酸素に関する安定同位体比の測定結果、さらには誘導結合プラズマ質量分析計３０で得られた微量元素元素量の測定結果に基づいて、予め得られた各産地のコメに関する安定同位体比や微量元素元素量に関する基準値（標本値）との比較、さらには階層的クラスタリング処理を行うことにより、コメの産地を推定する機能を有している。
【００２６】
［発明の原理］
次に、本発明の原理について説明する。
コメ粒に含まれている水素や炭素の安定同位体比を測定する場合、一般的には前述したようなレーザ分光法が用いられる。このレーザ分光法は、サンプルのガスにレーザ光を照射して得られた光吸収スペクトルに基づいて安定同位体比を測定する方法である。このため、コメ粒に含まる水素や炭素の安定同位体比を測定する場合、コメ粒を燃焼させて水素や炭素を水蒸気や二酸化炭素としてガス化する必要がある。
【００２７】
このようなガスを生成する場合、コメを１粒燃焼させれば測定に必要となる十分な量が得られる。しかしながら、一般的には、１本の稲穂には５０粒以上ものコメ粒が実り、１平米あたりでは３万粒以上のコメ粒が収穫される。コメ産地は、地区、町、市などの比較的広範囲を１つのコメ産地としているため、このようなコメ産地で生産されたコメ粒は膨大な数となる。
【００２８】
一方、コメ粒に含まれる水素や炭素は、同一産地であるからといって一律ではなく、栽培地や栽培条件などの環境によって左右される。したがって、比較的広範囲にわたるコメ産地で生産された膨大な数のコメ粒から、いずれか１粒のコメを選択して安定同位体比を測定した場合、得られた測定結果にある程度のばらつきが含まれると考えられる。本発明は、このような個々のコメ粒自体を起源とするばらつきが、コメ産地の判別精度を低下させている原因であると推定し、複数のコメ粒を粉末化してサンプルを生成し、これを燃焼させて得られたガスに基づいて安定同位体比を測定するようにしたものである。
【００２９】
図２は、コメ粒数による安定同位体比のばらつきの影響を示すグラフである。個々のコメ粒自体を起源とするばらつきを検証するため、同一産地のコメを用いて、コメ粒数と安定同位体比のばらつきとの関連性を調べる実験を行った。ここでは、まず、コメを１粒ごとに粉末化して粒サンプルＳを多数用意し、これら粒サンプルＳから、１，３，５，１０，２０，４０粒数分の粒サンプルＳを任意に選択して均一に混合して粉サンプルを、粒数ごとに１２サンプルずつ作製し、これら粉サンプルＳについてそれぞれ水素安定同位体比を測定した。
【００３０】
なお、本発明において測定する炭素、水素および酸素の安定同位体比は、炭素、水素、酸素おまたはその両方の天然に存在する非放射性同位体についての比を用いればよく、炭素安定同位体比としては12Ｃと13Ｃの比を用いればよく、水素安定同位体比としては1ＨとＤ（2Ｈ）の比を、酸素安定同位体比としては16Ｏと18Ｏの比を用いればよい。これらの安定同位体比は、通常、絶対比ではなく、標準試料の同位体比からの千分偏差としてそれぞれ以下の数式で示されるδ値で表現される。
【００３１】
炭素同位体比は、次の式（１）で示すことができ、水素安定同位体比は、次の式（２）、酸素安定同位体比は、次の式（3）で示すことができる。なお、これら式中、ＳＡＭＰは試料における同位体比を示し、ＳＴＤは標準試料における同位体比を示す。
【００３２】
【数１】
2018100834.tif 000003
【数２】
2018100834.tif 000004
【数３】
2018100834.tif 000005
【００３３】
安定同位体比の標準試料は、水素安定同位体比及び酸素安定同位体比の標準試料としては、通常、標準平均海水（Vienna Standard Mean Ocean Water：ＶＳＭＯＷ）を用いて表記される。炭素安定同位体比の標準試料としては、通常は、ＰｅｅＤｅｅ層のヤイシ類の化石（Vienna Pee Dee Belemnite：ＶＰＤＢ）を用いて表記される。
【００３４】
図２に示すように、１粒分の粉サンプルＳでは、得られた水素安定同位体比のばらつきが約３０‰あったのに対して、３粒分の粉サンプルＳでは約１１‰までばらつきが減少した。また、５，１０，２０，４０粒分の粉サンプルＳのばらつきは、それぞれ１１‰，１０‰，８‰，８‰であった。特に１粒分に比較して３粒分でばらつきが大きく減少し、２０粒分以上でばらつきが収束する傾向があることが分かった。また、炭素や酸素の安定同位体比でも同様の傾向が見られることが分かった。
【００３５】
この実験の結果、コメの水素や炭素の安定同位体比を測定する場合には、３粒以上のコメを粉末化したものをサンプルとすることが測定結果のばらつきを抑制するのに有効であることが分かった。また、２０粒以上のコメを粉末化したものをサンプルとすると測定結果のばらつきを最小化できることが分かった。
【００３６】
図３は、産地ごとに測定したコメの水素と炭素の安定同位体比の測定結果を示すグラフである。ここでは、前述と同様にして、産地ごとにコメ２０粒分の粉サンプルＳを作製し、水素および炭素の安定同位体比を測定することにより、ブランド米である「魚沼産コシヒカリ」の判別可否を検証した。
【００３７】
「魚沼産コシヒカリ」は、新潟県の魚沼地域に存在する５市２町のエリアで収穫されたコシヒカリＢＬおよびコシヒカリであり、図３のサンプルでは、「ＪＡ魚沼みなみ／南魚沼市」産のサンプルや「ＪＡ魚沼みなみ／六日町」産のサンプルがこれに相当する。
図３では、これら「ＪＡ魚沼みなみ／南魚沼市」産のサンプルや「ＪＡ魚沼みなみ／六日町」産のサンプルが、他の産地のサンプルとはある程度異なる、水素および炭素の安定同位体比を示していることが分かる。
【００３８】
図４は、図３の測定結果に対するクラスタ解析結果を示すデンドログラムである。ここでは、各サンプルの水素安定同位体比と炭素安定同位体比を、ウォード法（Ward’s method）により階層的クラスタリングした結果が示されている。
図４によれば、「兵庫県・豊岡市」産のサンプルとは同じクラスではあるが、「魚沼産コシヒカリ」に相当する「ＪＡ魚沼みなみ／南魚沼市」産のサンプルや「ＪＡ魚沼みなみ／六日町」産のサンプルが、他の産地のサンプルと、ある程度の距離（Ｈｅｉｇｈｔ）を持って異なるクラスに属しており、判別可能であることが分かる。
【００３９】
図５は、図３の測定結果と微量元素分析結果との組み合わせに対するクラスタ解析結果を示すデンドログラムである。ここでは、図３で用いたコメのサンプルごとに、誘導結合プラズマ質量分析計（ＩＣＰ−ＭＳ：Inductively Coupled Plasma-Mass Spectrom）を用いて、コメに含まれるＳｉ，Ｃａ，Ｚｎ，Ｍｏ，およびＢａの元素量を定量分析し、得られた分析結果を前述した水素および炭素の安定同位体比の測定結果と組み合わせて、ウォード法により階層的クラスタリングした結果が示されている。
【００４０】
図５によれば、「魚沼産コシヒカリ」に相当する「ＪＡ魚沼みなみ／南魚沼市」や「ＪＡ魚沼みなみ／六日町」のサンプルが、「兵庫県・豊岡市」産のサンプルをはじめとする他の産地のサンプルと、大きな距離（Ｈｅｉｇｈｔ）を持って独立したクラスに属しており、極めて容易に判別可能であることが分かる。
【００４１】
［本実施の形態の効果］
このように、本実施の形態は、分析対象となるコメから選択した３つ以上のコメ粒を粉末器１０で粉末化して均一に混合することにより粉サンプルＳを作製し、得られた粉サンプルＳを安定同位体比分析装置２０により燃焼させて得られたガスに基づいて、水素、炭素、酸素の少なくともいずれか１つに関する安定同位体比を測定し、得られた測定結果に基づいてコメの産地を推定するようにしたものである。
これにより、コメ粒自体を起源とする安定同位体比のばらつきが抑制されることになる。したがって、より高い精度でコメ産地を推定することができ、ブランド米に関する産地偽装を、科学的に容易かつ高い精度で判定することが可能となる。
【００４２】
また、本実施の形態において、誘導結合プラズマ質量分析計３０により、分析対象となるコメに含まれるＳｉ，Ｃａ，Ｚｎ，Ｍｏ，およびＢａの元素量を定量分析し、得られた分析結果と安定同位体比の測定結果との組み合わせに基づいて、コメの産地を推定するようにしてもよい。
気候や緯度が同じような地域では、コメに含まれる酸素、水素、または炭素などの安定同位体比の差が小さく、産地推定精度が低下する傾向があるが、微量元素定量分析結果を考慮することにより、極めて高い精度でコメ産地を推定することができ、ブランド米に関する産地偽装を、科学的に容易かつ極めて高い精度で判定することが可能となる。
【００４３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００４４】
１…コメ産地推定システム、１０…粉末器、２０…安定同位体比分析装置、２１…燃焼部、２２…レーザ光源、２３…ガスセル、２４…光検出器、２５…安定同位体比測定部、３０…誘導結合プラズマ質量分析計、Ｓ…粉サンプル。
【図１】
2018100834.tif 000006
【図２】
2018100834.tif 000007
【図３】
2018100834.tif 000008
【図４】
2018100834.tif 000009
【図５】
2018100834.tif 000010